(57)【特許請求の範囲】
【請求項１】
無線アクセスネットワーク（１０）における無線基地局（１１、１２）で行われ、前記無線基地局（１１、１２）が接続される無線アクセストランスポートネットワーク（２０）に関連付けられた２つのＩＰエンドポイント（１１、１２、３１）間のパスの特性を収集する方法であって、
−  前記無線基地局（１１、１２）が接続される前記無線アクセストランスポートネットワーク（２０）に関連付けられた少なくとも１つのＩＰエンドポイント（１１、１２、３１）のＩＰアドレスを受信するステップ（Ｓ１）と、
−  前記ＩＰエンドポイント（１１、１２、３１）のうちの少なくとも１つを含む２つのＩＰエンドポイント（１１、１２、３１）間のパスの少なくとも１つの特性に関して前記無線アクセストランスポートネットワーク（２０）におけるノード（２１、２２、２３、２４、２５）へ問い合わせを送出するステップ（Ｓ２）と、
−  前記パスの前記少なくとも１つの特性を受信するステップ（Ｓ３）と、を備える、方法。
【請求項２】
前記問い合わせを送出するステップにおいて、前記ＩＰエンドポイント（１１、１２、３１）は前記無線基地局（１１、１２）および第２の無線基地局（１１、１２）である、請求項１に記載の方法。
【請求項３】
前記問い合わせを送出するステップにおいて、前記無線基地局（１１、１２）、および前記無線アクセスネットワーク（１０）が接続されるコアネットワーク（３０）におけるＰＤＮ−ゲートウェイまたはＳ／ＰＤＮ−ゲートウェイ（３１）はＩＰエンドポイント（１１、１２、３１）である、請求項１に記載の方法。
【請求項４】
前記問い合わせを送出するステップにおいて、第２の無線基地局（１１、１２）、および、前記無線アクセスネットワーク（１０）が接続されるコアネットワーク（３０）におけるＰＤＮ−ゲートウェイまたはＳ／ＰＤＮ−ゲートウェイ（３１）はＩＰエンドポイント（１１、１２、３１）である、請求項１に記載の方法。
【請求項５】
前記問い合わせを送出するステップは、前記第２の無線基地局（１１、１２）によって収集された、前記第２の無線基地局（１１、１２）と、前記無線アクセストランスポートネットワーク（２０）に関連付けられたＩＰエンドポイント（１１、１２、３１）との間のパスの少なくとも１つの特性に関して前記第２の無線基地局（１１、１２）に問い合わせすることをさらに備える、請求項１から３のいずれか一項に記載の方法。
【請求項６】
前記無線アクセスネットワーク（１０）は、Ｅ−ＵＴＲＡＮ（Ｅｖｏｌｖｅｄ  ＵＭＴＳ地上無線アクセスネットワーク）であり、前記無線基地局（１１、１２）は、前記Ｅ−ＵＴＲＡＮにおけるｅＮｏｄｅＢ（ＥｖｏｌｖｅｄノードＢ）である、請求項１から５のいずれか一項に記載の方法。
【請求項７】
前記パスの特性は、帯域幅、無線アクセストランスポートネットワーク遅延、混雑の指示、ジッター、バッファの使用状況、および、同期精度のいずれかである、請求項１から６のいずれか一項に記載の方法。
【請求項８】
前記問い合わせを送出するステップは、前記無線アクセストランスポートネットワーク（２０）における少なくとも１つのさらなるノード（２３、２４、２５）に問い合わせすることをさらに備える、請求項１から７のいずれか一項に記載の方法。
【請求項９】
前記受信するステップ（Ｓ３）の後に、前記無線アクセストランスポートネットワークにおける２つのＩＰエンドポイント（１１、１２、３１）間のパスの特性の少なくとも１つの更新を受信するさらなるステップを備える、請求項１から８のいずれか一項に記載の方法。
【請求項１０】
前記問い合わせを送出するステップは、前記無線基地局（１１、１２）において、Ｉ２ＲＳ−クライアント（ルーティングシステムへのインターフェース）によって行われる、請求項１から９のいずれか一項に記載の方法。
【請求項１１】
プロセッサおよびメモリを備える無線基地局（１１、１２）が接続される無線アクセストランスポートネットワーク（２０）に関連付けられた２つのＩＰエンドポイント（１１、１２、３１）間のパスの特性を収集する無線基地局であって、前記メモリは、前記プロセッサによって実行可能な命令を包含し、それによって、前記無線基地局は、
−  前記無線基地局（１１、１２）が接続される前記無線アクセストランスポートネットワーク（２０）に関連付けられた少なくとも１つのＩＰエンドポイント（１１、１２、３１）のＩＰアドレスを受信するように、
−  前記少なくとも１つのＩＰエンドポイント（１１、１２、３１）を含む２つのＩＰエンドポイント（１１、１２、３１）間のパスの少なくとも１つの特性に関して前記無線アクセストランスポートネットワーク（２０）におけるノード（２１、２２、２３、２４、２５）へ問い合わせを送出するように、かつ
−前記パスの前記少なくとも１つの特性を受信するように動作する、無線基地局。
【請求項１２】
前記ＩＰエンドポイント（１１、１２、３１）は第１の無線基地局（１１、１２）および第２の無線基地局（１１、１２）である、請求項１１に記載の無線基地局（１１、１２）。
【請求項１３】
第１の無線基地局（１１、１２）、および前記無線アクセスネットワーク（１０）が接続されるコアネットワーク（３０）におけるＰＤＮ−ゲートウェイまたはＳ／ＰＤＮ−ゲートウェイ（３１）はＩＰエンドポイント（１１、１２、３１）である、請求項１１に記載の無線基地局（１１、１２）。
【請求項１４】
前記問い合わせを送出するステップにおいて、第２の無線基地局（１１、１２）、および、前記無線アクセスネットワーク（１０）が接続されるコアネットワーク（３０）におけるＰＤＮ−ゲートウェイ（３１）またはＳ／ＰＤＮ−ゲートウェイ（３１）はＩＰエンドポイント（１１、１２、３１）である、請求項１１に記載の無線基地局（１１、１２）。
【請求項１５】
前記無線基地局は、前記第２の無線基地局（１１、１２）によって収集された、前記第２の無線基地局（１１、１２）と、前記無線アクセストランスポートネットワーク（２０）に関連付けられたＩＰエンドポイント（１１、１２、３１）との間のパスの少なくとも１つの特性に関して前記第２の無線基地局（１１、１２）へ問い合わせを送出するようにさらに動作する、請求項１１から１４のいずれか一項に記載の無線基地局（１１、１２）。
【請求項１６】
前記無線アクセスネットワーク（１０）は、Ｅ−ＵＴＲＡＮ（Ｅｖｏｌｖｅｄ  ＵＭＴＳ地上無線アクセスネットワーク）であり、前記無線基地局（１１、１２）は、前記Ｅ−ＵＴＲＡＮにおけるｅＮｏｄｅＢ（ＥｖｏｌｖｅｄノードＢ）である、請求項１１から１４のいずれか一項に記載の無線基地局（１１、１２）。
【請求項１７】
前記パスの特性は、帯域幅、無線アクセストランスポートネットワーク遅延、混雑の指示、ジッター、バッファの使用状況、および、同期精度のいずれかである、請求項１１から１６のいずれか一項に記載の無線基地局（１１、１２）。
【請求項１８】
前記無線基地局（１１、１２）は、前記無線アクセストランスポートネットワーク（２０）における少なくとも１つのさらなるノード（２３、２４、２５）へ問い合わせを送出するようにさらに動作する、請求項１１から１７のいずれか一項に記載の無線基地局（１１、１２）。
【請求項１９】
前記無線基地局（１１、１２）は、前記無線アクセストランスポートネットワークにおける２つのＩＰエンドポイント（１１、１２、３１）間のパスの特性の少なくとも１つの更新を受信するようにさらに動作する、請求項１１から１８のいずれか一項に記載の無線基地局（１１、１２）。
【請求項２０】
前記無線基地局（１１、１２）は、前記無線基地局（１１、１２）において、Ｉ２ＲＳ−クライアント（ルーティングシステムへのインターフェース）によって問い合わせを送出するようにさらに動作する、請求項１１から１９のいずれか一項に記載の無線基地局（１１、１２）。
【請求項２１】
プロセッサおよびメモリを備える無線基地局（１１、１２）が接続される無線アクセストランスポートネットワーク（２０）に関連付けられた２つのＩＰエンドポイント（１１、１２、３１）間のパスの特性を収集するためのノード（２１、２２、２３、２４、２５）であって、前記メモリは前記プロセッサによって実行可能な命令を包含し、それによって、前記ノードは、第１の無線基地局（１１、１２）が接続される前記無線アクセストランスポートネットワーク（２０）に関連付けられた２つのＩＰエンドポイント（１１、１２、３１）間のパスの少なくとも１つの特性に関して前記無線アクセストランスポートネットワーク（２０）に接続される前記無線基地局（１１、１２）から問い合わせを受信するように、前記２つのＩＰエンドポイント（１１、１２、３１）間の前記パスの前記少なくとも１つの特性を判断するように、かつ、前記パスの前記少なくとも１つの特性を前記無線基地局（１１、１２）へ送信するように動作する、ノード（２１、２２、２３、２４、２５）。
【請求項２２】
前記ノードは、Ｉ２ＲＳ−エージェント（ルーティングシステムへのインターフェースエージェント）を実行するようにさらに動作する、請求項２１に記載のノード（２１、２２、２３、２４、２５）。
【請求項２３】
無線基地局（１１、１２）で実行する時、前記無線基地局（１１、１２）が請求項１から１０のいずれか一項において記載されている方法を行うようにする、コンピュータプログラム上に記憶されている、コンピュータ可読記憶媒体。
【請求項２４】
無線基地局（１１、１２）が接続される無線アクセストランスポートネットワーク（２０）に関連付けられた２つのＩＰエンドポイント（１１、１２、３１）間のパスの特性を収集するためのノード（２１、２２、２３、２４、２５）における方法であって、
−  第１の無線基地局（１１、１２）が接続される前記無線アクセストランスポートネットワーク（２０）に関連付けられた２つのＩＰエンドポイント（１１、１２、３１）間のパスの少なくとも１つの特性に関して前記無線アクセストランスポートネットワーク（２０）に接続される前記無線基地局（１１、１２）から問い合わせを受信するステップ（Ｓ１ａ）と、
−  前記２つのＩＰエンドポイント（１１、１２、３１）間の前記パスの前記少なくとも１つの特性を判断するステップ（Ｓ２ａ）と、
−  前記パスの前記少なくとも１つの特性を前記無線基地局（１１、１２）へ送信するステップ（Ｓ３ａ）と、を備える、方法。
【請求項２５】
ノード（２１、２２、２３、２４、２５）で実行する時、前記ノード（２１、２２、２３、２４、２５）が請求項２４において記載されている方法を行うようにする、コンピュータプログラム上に記憶されている、コンピュータ可読記憶媒体。
【発明の詳細な説明】
【技術分野】
【０００１】
本開示は、無線アクセスネットワークにおける無線基地局で行われ、無線基地局が接続される無線アクセストランスポートネットワークに関連付けられた２つのＩＰエンドポイント間のパスの特性を収集する方法に関する。
【０００２】
本開示は、無線基地局が接続される無線アクセストランスポートネットワークに関連付けられた２つのＩＰエンドポイント間のパスの特性を収集する無線基地局にも関する。
【背景技術】
【０００３】
３ＧＰＰ  Ｌｏｎｇ−Ｔｅｒｍ  Ｅｖｏｌｕｔｉｏｎ（ＬＴＥ）は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）規格を改良して、データ速度を速めること、効率を改良すること、および、費用を低下させることといった、サービスの改良に関する将来の要件に対処するための、第３世代パートナーシッププロジェクト（３ＧＰＰ）の枠内で開発された第４世代モバイル通信技術規格である。ユニバーサル地上無線アクセスネットワーク（ＵＴＲＡＮ）は、ＵＭＴＳの無線アクセスネットワーク（ＲＡＮ）であり、Ｅｖｏｌｖｅｄ  ＵＴＲＡＮ（Ｅ−ＵＴＲＡＮ）はＬＴＥシステムのＲＡＮである。
【０００４】
将来的には、ＬＴＥに関する新しい無線協調特徴が計画される。新しい無線協調特徴の例は、ＣｏＭＰ（協調マルチポイント）、ＡＢＳ（アップリンクおよび／またはダウンリンクオールモストブランクサブフレーム）、ＲＰＳ（低電力サブフレーム）、ｅＩＣＩＣ（拡張型セル間干渉協調）である。さまざまな無線協調特徴は、３つの異なるグループ、すなわち、柔軟な協調特徴、厳格な協調特徴、および非常に厳格な協調特徴に分類できる。さまざまな無線協調特徴は全て、これらの無線協調特徴を使用できるようにするために無線アクセストランスポートネットワークにおいて異なるレベルで必要とされている。例として、さまざまな無線協調機能に対して必要とされる遅延は、１ミリ秒未満〜１００ミリ秒で変化する。無線アクセストランスポートネットワークにおける同期および帯域幅についても同様に要件がある。無線アクセストランスポートネットワークは、無線基地局間、および、無線基地局とコアネットワークとの間のデータトラフィックを扱う。
【０００５】
現在、例えば、ＲＢＳ（無線基地局）ネイバー間、ならびに、ＲＢＳ、Ｓ／ＰＤＮ−ＧＷ（サービングパケットデータネットワーク−ゲートウェイ）、およびＲＮＣ（無線ネットワーク制御装置）の間の特性といった、無線アクセストランスポートネットワーク特性に関するＲＡＮの情報が欠如している。ＲＡＮにとって、無線アクセストランスポートネットワーク特性の知識および同期精度を欠いている時、最適な無線協調特徴を選択することには問題がある。これによって、ＲＡＮのみならず無線アクセストランスポートネットワークの資源の使用が最適には至らず、ひいてはエンドユーザ性能は最適にならない。
【０００６】
よって、どの無線協調特徴を使用するのかを決定するＲＢＳには、例えば、同期方法が十分精確である場合、または、隣接するＲＢＳ間の遅延および帯域幅が特定の無線協調特徴に対して使用されるのに十分である場合、無線アクセストランスポートネットワーク特性の情報がないかほとんどない。ＴＷＡＭＰ／ＢＡＲＴ（双方向アクティブ測定プロトコル／リアルタイムでの利用可能帯域幅）のようなアクティブ測定は、真の無線アクセストランスポートネットワーク特性にはアクセスできず、代わりに、試験トラフィックの導入に基づいて無線アクセストランスポートネットワーク特性を推定しようとする。
【０００７】
ＩＥＴＦ（インターネットエンジニアリングタスクフォース）は、例えば、ｈｔｔｐｓ：／／ｄａｔａｔｒａｃｋｅｒ．ｉｅｔｆ．ｏｒｇ／ｗｇ／ｉ２ｒｓのＩ２ＲＳ（ルーティングシステムへのインターフェース）の応用分野においていくつかの草案を公開した。Ｉ２ＲＳのアーキテクチャによって、トランスポートネットワークの状態を問い合わせするおよび修正する応用が可能になる。該アーキテクチャには要件が記述されており、ｈｔｔｐｓ：／／ｄａｔａｔｒａｃｋｅｒ．ｉｅｔｆ．ｏｒｇ／ｗｇ／ｉ２ｒｓの「Ｕｓｅ  Ｃａｓｅｓ  ｏｆ  Ｉ２ＲＳ  ｉｎ  Ｍｏｂｉｌｅ  Ｂａｃｋｈａｕｌ  Ｎｅｔｗｏｒｋ」の草案には、移動体バックホールおよび無線アクセストランスポートネットワークの使用ケースが記述されている。
【０００８】
今のところ、どの無線協調特徴を使用するのかを決定するＲＢＳには無線アクセストランスポートネットワーク条件の情報はないかほとんどない。従って、無線協調特徴を判断し、上記の問題のうちの少なくとも１つを解決するまたは少なくとも軽減する改良された解決策が必要とされている。
【発明の概要】
【０００９】
本開示の目的は、無線基地局において、無線アクセストランスポートネットワーク特性の情報がないか限定されている状態で、どの無線協調特徴を使用するのかを決定する問題を解決する実施形態を提供することである。
【００１０】
特に、本開示の目的は、無線基地局と、無線アクセストランスポートネットワークに関連付けられたノードとの間のインターフェースを確立する実施形態を提供することである。このインターフェースを通して、本開示のある態様によると、無線アクセストランスポートネットワークから情報を要求し、かつ、その情報を適したフォーマットで無線基地局へ転送して、例えば、無線アクセストランスポートネットワーク特性が無線協調特徴の要件を満たすかどうかを判断するために、無線協調特徴の決定を支援することができる。
【００１１】
概念には、無線基地局が接続される無線アクセストランスポートネットワークに関連付けられた特定のＩＰエンドポイントの少なくとも１つのＩＰアドレスを受信すること、および、２つのＩＰエンドポイント間のパスの少なくとも１つの特性に関して無線アクセストランスポートネットワークにおけるノードへ問い合わせを送出することが含まれる。
【００１２】
本開示は、無線アクセスネットワークにおける無線基地局で行われ、無線基地局が接続される無線アクセストランスポートネットワークに関連付けられた２つのＩＰエンドポイント間のパスの特性を収集する方法を提示する。方法は、無線基地局が接続される無線アクセストランスポートネットワークに関連付けられた少なくとも１つのＩＰエンドポイントのＩＰアドレスを受信するステップと、２つのＩＰエンドポイント間のパスの少なくとも１つの特性に関して無線アクセストランスポートネットワークにおけるノードへ問い合わせを送出するステップと、パスの少なくとも１つの特性を受信するステップと、を備える。
【００１３】
２つのＩＰエンドポイント間のパスの特性を収集する開示された方法は、無線アクセストランスポートネットワークから情報を要求し、かつ、その情報を無線基地局において受信して、例えば、無線アクセストランスポートネットワーク特性が無線協調特徴の要件を満たすかどうかの、無線協調特徴の決定を支援するための方法を提供する。
【００１４】
開示された方法のある態様によると、問い合わせを送出するステップにおいて、ＩＰエンドポイントは第１の無線基地局および第２の無線基地局である。
【００１５】
第１の無線基地局と第２の無線基地局との間のパスの特性の受信を可能にすることによって、第１の無線基地局と第２の無線基地局との間のパスの特性が多くの無線協調特徴の相関関係にとって重要であるため、第１の無線基地局または第２の無線基地局のどちらかによって表される無線基地局が、無線協調特徴を使用するかどうか、かつ、どの無線協調特徴を使用するかをより良く判断することができるという利点がもたらされる。
【００１６】
開示された方法のある態様によると、問い合わせを送出するステップにおいて、無線基地局、および無線アクセスネットワークが接続されるコアネットワークにおけるＰＤＮ−ゲートウェイまたはＳ／ＰＤＮ−ゲートウェイはＩＰエンドポイントである。
【００１７】
無線基地局と、コアネットワークにおけるＰＤＮ−ゲートウェイまたはＳ／ＰＤＮ−ゲートウェイとの間のパスの特性の受信を可能にすることによって、無線基地局と、コアネットワークにおけるＰＤＮ−ゲートウェイまたはＳ／ＰＤＮ−ゲートウェイとのパスの特性が多くの無線協調特徴の相関関係にとって重要であるため、無線基地局が、無線協調特徴を使用するかどうか、かつ、どの無線協調特徴を使用するかをより良く判断することができるという利点がもたらされる。
【００１８】
開示された方法のある態様によると、問い合わせを送出するステップにおいて、第２の無線基地局、および、無線アクセスネットワークが接続されるコアネットワークにおけるＰＤＮ−ゲートウェイまたはＳ／ＰＤＮ−ゲートウェイはＩＰエンドポイントである。
【００１９】
第２の無線基地局と、コアネットワークにおけるＰＤＮ−ゲートウェイまたはＳ／ＰＤＮ−ゲートウェイとのパスの特性を受信することによって、第２の無線基地局と、コアネットワークにおけるＰＤＮ−ゲートウェイまたはＳ／ＰＤＮ−ゲートウェイとの間のパスの特性が多くの無線協調特徴の相関関係にとって重要であるため、無線基地局が、無線協調特徴を使用するかどうか、かつ、どの無線協調特徴を使用するかをより良く判断することができるという利点がもたらされる。
【００２０】
開示された方法のある態様によると、問い合わせのステップは、第２の無線基地局によって収集された、第２の無線基地局と、無線アクセストランスポートネットワークに関連付けられたＩＰエンドポイントとの間のパスの少なくとも１つの特性に関して第２の無線基地局へ問い合わせを送出することをさらに備える。
【００２１】
開示された方法のさらなる態様によると、無線アクセスネットワークは、Ｅ−ＵＴＲＡＮ（Ｅｖｏｌｖｅｄ  ＵＭＴＳ地上無線アクセスネットワーク）であり、無線基地局は、Ｅ−ＵＴＲＡＮにおけるｅＮｏｄｅＢ（ＥｖｏｌｖｅｄノードＢ）である。
【００２２】
開示された方法のなおさらなる態様によると、パスの特性は、帯域幅、無線アクセストランスポートネットワーク遅延、混雑の指示、ジッター、バッファの使用状況、および、同期精度のいずれかである。
【００２３】
Ｓ／ＰＤＮ−ＧＷに合致する特性は、とりわけ、さまざまな無線基地局から利用可能な帯域幅を知るために重要であり、この知識によって、無線ネットワークは、最適なエンドユーザ性能／経験にとって、アクティブなユーザをどの無線基地局へ接続すべきかを決定することができる。
【００２４】
無線基地局間の特性は、無線基地局間のトラフィックを協調することに左右される最適な無線協調特徴を選択可能にするために重要である。例えば、アップリンク共同受信は、低遅延／ジッター、高帯域幅、および、厳格な時間／位相同期を必要とする。ＡＢＳ／ＲＰＳＦは、厳格な時間／位相同期を必要とするが、帯域幅は非常に限定されており、多大な遅延／ジッターを許容する可能性がある。
【００２５】
開示された方法の別の態様によると、問い合わせのステップは、無線アクセストランスポートネットワークにおける少なくとも１つのさらなるノードへ問い合わせを送出することをさらに備える。
【００２６】
開示された方法のある態様によると、方法は、受信するステップの後に、無線アクセストランスポートネットワークにおける２つのＩＰエンドポイント間のパスの特性の少なくとも１つの更新を受信するさらなるステップを備える。
【００２７】
開示された方法の別の態様によると、問い合わせを送出するステップは、無線基地局において、Ｉ２ＲＳ−クライアント（ルーティングシステムへのインターフェース）によって行われる。
【００２８】
本開示は、プロセッサおよびメモリを備える無線基地局が接続される無線アクセストランスポートネットワークに関連付けられた２つのＩＰエンドポイント間のパスの特性を収集するための無線基地局の実施形態にも関する。メモリは、プロセッサによって実行可能な命令を包含し、それによって、無線基地局は、無線基地局が接続される無線アクセストランスポートネットワークに関連付けられた少なくとも１つのＩＰエンドポイントのＩＰアドレスを受信するように、２つのＩＰエンドポイント間のパスの少なくとも１つの特性に関して無線アクセストランスポートネットワークにおけるノードへ問い合わせを送出するように、および、該パスの少なくとも１つの特性を受信するように動作する。
【００２９】
本開示は、プロセッサおよびメモリを備える無線基地局が接続される無線アクセストランスポートネットワークに関連付けられた２つのＩＰエンドポイント間のパスの特性を収集するためのノードの実施形態にも関する。メモリは、プロセッサによって実行可能な命令を包含し、それによって、ノードは、第１の無線基地局が接続される無線アクセストランスポートネットワークに関連付けられた２つのＩＰエンドポイント間のパスの少なくとも１つの特性に関して、無線アクセストランスポートネットワーク（２０）に接続される無線基地局から問い合わせを受信するように、および、２つのＩＰエンドポイント間のパスの少なくとも１つの特性を判断するように、さらにまた、パスの少なくとも１つの特性を無線基地局へ送信するように動作する。
【００３０】
本開示は、無線基地局で実行する時、無線基地局が開示された方法を行うようにするコンピュータ可読コードを備えるコンピュータプログラムも提示する。
【００３１】
無線基地局、ノード、およびコンピュータプログラムはそれぞれ、無線基地局において行われる方法に関して既述された利点に対応する利点を表示する。
【００３２】
本開示のさらなる目的、特徴、および利点は、以下の詳細な説明から明らかとなろう。この説明において、本開示のいくつかの態様は、添付の図面を参照してより詳細に説明されよう。
【図面の簡単な説明】
【００３３】
【図１】本開示の例示の実施形態が実装可能であるセルラー通信ネットワークを概略的に示す図である。
【図２】無線基地局において行われる提案された方法を示すフローチャートである。
【図２ａ】ノードにおいて行われる提案された方法を示すフローチャートである。
【図３】本開示の例示の実施形態による無線基地局を示す概略図である。
【図４】本開示の例示の実施形態による無線基地局を示す概略図である。
【発明を実施するための形態】
【００３４】
本開示の態様について、以下、添付の図面を参照してより詳しく説明する。しかしながら、本明細書に開示される方法およびワイヤレスデバイスは、多くのさまざまな形態で実現でき、本明細書に示される態様に限定されるとして解釈されるべきではない。図面の同様の番号は全体を通して同様の要素に言及する。
【００３５】
本開示の実施形態の一般的な目的または発想は、上述および後述される先行技術の解決策による不利点の少なくとも１つまたはいくつかに取り組むことである。図に関連して後述される種々のステップは、主として論理的に理解されるべきであるが、それぞれのステップは、使用される実装形態およびプロトコルによっては、１つまたは複数の特定のメッセージの通信を含んでよい。
【００３６】
本明細書で使用される専門用語は、本開示の特定的な態様を説明するためのものに過ぎず、本開示をいずれの特定的な実施形態にも限定することは意図するものではない。本明細書で使用される場合、単数形「ａ」、「ａｎ」、および「ｔｈｅ」は、別段明確に指示されない限り、複数形も含むことが意図される。
【００３７】
本開示の目的は、最適な無線協調特徴の選択を可能にするためにネットワーク特性情報を提供することに関する問題を解決する実施形態を提供することである。
【００３８】
本開示のある態様によると、無線基地局と、無線アクセストランスポートネットワークに関連付けられたノードとの間にインターフェースがもたらされる。本開示のある態様によると、該インターフェースによって、無線アクセストランスポートネットワークから情報を要求し、かつ、その情報を適したフォーマットで無線基地局へ転送して、例えば、ネットワーク条件が無線協調特徴に関連付けられた要件を満たすかどうかを評価するために、無線協調特徴の決定を支援することが可能になる。
【００３９】
概念には、無線基地局が接続される無線アクセストランスポートネットワークに関連付けられた特定のＩＰエンドポイントのＩＰアドレスを受信すること、および、２つのＩＰエンドポイント間のパスの少なくとも１つの特性に関して無線アクセストランスポートネットワークにおけるノードへ問い合わせを送出することが含まれる。
【００４０】
図１は、本開示の態様を実装できるセルラー通信ネットワーク１を概略的に示す。セルラー通信ネットワーク１は無線アクセスネットワーク１０を備える。無線アクセスネットワーク１０は無線アクセストランスポートネットワーク２０を備える。無線アクセストランスポートネットワーク２０は、無線基地局１１、１２間、および、無線基地局１１、１２とコアネットワーク３０との間のデータトラフィックを扱う。無線アクセスネットワーク１０の例はＵＴＲＡＮ（ユニバーサル地上無線アクセスネットワーク）である。ＵＴＲＡＮは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）における無線アクセスネットワーク１０である。別の無線アクセスネットワーク１０はＥ−ＵＴＲＡＮである。Ｅ−ＵＴＲＡＮは、ＬＴＥシステムにおける無線アクセスネットワーク１０である。無線アクセストランスポートネットワーク２０には、ノード２１、２２、２３、２４および２５がある。
【００４１】
図２は、無線アクセスネットワーク１０における無線基地局１１、１２において行われ、無線基地局１１、１２が接続される無線アクセストランスポートネットワーク２０に関連付けられた２つのＩＰエンドポイント１１、１２、３１間のパスの特性を収集する方法ステップの実施形態を概略的に示すフローチャートである。第１のステップＳ１では、ＩＰアドレスは、無線基地局１１、１２が接続される無線アクセストランスポートネットワーク２０に関連付けられた１つまたは複数のＩＰエンドポイント１１、１２、３１について受信される。
【００４２】
本開示のある態様によると、ＩＰエンドポイントは、例えば、無線基地局１０、１１、コアネットワーク３０におけるＰＤＮ−ゲートウェイ３１またはＳ−ＰＤＮ−ゲートウェイ３１である。
【００４３】
次のステップＳ２では、無線アクセストランスポートネットワーク２０におけるノード２１、２２、２３、２４、２５には、２つのＩＰエンドポイント１１、１２、３１間のパスの少なくとも１つの特性に関して問い合わせが行われる。本開示の１つの例示の実施形態によると、無線基地局１１、１２が接続されるノード２１、２２には問い合わせが行われる。しかしながら、本開示は、無線基地局１１、１２が接続されるノード２１、２２に対して問い合わせが送られることだけに限定されない。本開示の例示の実施形態では、２つのＩＰエンドポイント１１、１２、３１間のパスの少なくとも１つの特性を要求する問い合わせが無線アクセストランスポートネットワーク２０における別のノード２３、２４、２５へ送出される。
【００４４】
２つのＩＰエンドポイント１１、１２、３１間のパスの少なくとも１つの特性は、本開示の一態様では、２つのＩＰエンドポイント１１、１２、３１間のパス全体についての特性に関する。本開示の他の例示の実施形態では、２つのＩＰエンドポイント１１、１２、３１間のパスの少なくとも１つの特性は、２つのＩＰエンドポイント１１、１２、３１間のパスにおける１つのリンクまたはいくつかのリンク（図示せず）の特性に関する。無線基地局１１と無線基地局１２との間のパスにおける１つのリンクは、本開示の一態様によると、無線アクセストランスポートネットワーク２０におけるノード２１とノード２２との間のリンクである。無線アクセストランスポートネットワーク２０におけるノード２１とノード２２との間のリンクの特性は、本開示の態様によると、帯域幅、無線アクセストランスポートネットワーク遅延、混雑の指示、ジッター、バッファの使用状況、または、同期精度を含む。
【００４５】
さらなるステップＳ３では、パスの少なくとも１つの特性が無線基地局１１、１２で受信される。
【００４６】
本開示のある態様によると、無線基地局１１、１２のうちの１つはマスター無線基地局１１、１２であり、他の無線基地局１１、１２はスレーブ無線基地局１１、１２である。本開示の例示の実施形態では、どの協調特徴を使用するかを決定するのがマスター無線基地局１１、１２である。
【００４７】
本開示の一態様によると、マスターおよびスレーブ無線基地局１０、１１両方ともに対するパスの少なくとも１つの特性を要求することがマスター無線基地局１１、１２の務めである。得られた特性情報に基づいて、マスター無線基地局１０、１１はどの協調特徴を使用するのか決定する。ネットワーク特性が特定の要件を満たさない場合、マスター無線基地局１０、１１は、ある特定の無線協調特徴、または無線協調特徴のいずれも使用しないという決定を行う。
【００４８】
無線基地局１１、１２がＵＥ（ユーザ機器）に対するマスター無線基地局１１、１２である時、無線基地局１１、１２（図示せず）はまた、スレーブ無線基地局１１、１２を聞くことができるという情報をＵＥから受信する。この情報に基づいて、マスター無線基地局１１、１２は、ＵＥにとって、１つまたは複数の無線協調特徴を実行することが有益であるという無線協調特徴の決定を行う。しかしながら、無線協調特徴を使用しかつ選択できるようにするために、マスター無線基地局１１、１２はまた、無線基地局１１、１２間のパスの無線アクセストランスポートネットワーク２０の特性を知らなければならない。
【００４９】
マスター無線基地局１１、１２は、無線基地局１１、１２が接続される無線アクセストランスポートネットワーク２０に関連付けられた少なくとも１つのＩＰエンドポイント１１、１２、３１のＩＰアドレスを受信する。本開示の一態様によると、無線基地局１１、１２は、ＡＮＲ（Ａｕｔｏｍａｔｉｃ  Ｎｅｉｇｈｂｏｒ  Ｒｅｌａｔｉｏｎ）を使用して、無線基地局１１、１２が接続される無線アクセストランスポートネットワーク２０に関連付けられた少なくとも１つのＩＰエンドポイント１１、１２、３１のＩＰアドレスを受信する。
【００５０】
無線基地局１１、１２は、次いで、２つのＩＰエンドポイント１１、１２、３１間のパスの少なくとも１つの特性に関して無線アクセストランスポートネットワーク２０におけるノード２１、２２、２３、２４、２５へ問い合わせを送出する。本開示の一態様によると、無線基地局１１、１２は、マスター無線基地局１１、１２とスレーブ無線基地局１１、１２との間のパスのみならず、マスター無線基地局１１、１２とＰＤＮ−ＧＷ３１との間のパス、および、スレーブ無線基地局１１、１２とＰＤＮ−ＧＷ３１との間のパスの特性に関する問い合わせを送出する。
【００５１】
本開示のある態様によると、マスター無線基地局１１、１２およびスレーブ無線基地局１１、１２は両方とも、２つのＩＰエンドポイント１１、１２、３１間のパスの少なくとも１つの特性に関して無線アクセストランスポートネットワーク２０における少なくとも１つのノード２１、２２、２３、２４、２５へ問い合わせを送出する。本開示の例示の実施形態では、マスター無線基地局１１、１２は、マスター無線基地局１１、１２とスレーブ無線基地局１１、１２との間のパス、および、マスター無線基地局１１、１２とＰＤＮ−ＧＷ−ＩＰ３１との間のパスの少なくとも１つの特性に関して無線アクセストランスポートネットワーク２０における少なくとも１つのノード２１、２２、２３、２４、２５へ問い合わせを送出する。
【００５２】
マスター無線基地局１１は次いで、第２の無線基地局１１、１２と、無線アクセストランスポートネットワーク２０に関連付けられたＩＰエンドポイント１１、１２、３１との間のパスの少なくとも１つの特性に関して第２の無線基地局１１、１２へ問い合わせを送出するが、該特性は第２の無線基地局１１、１２によって収集されたものである。マスター無線基地局１１はどの無線協調特徴を使用するのかを決定する。無線アクセストランスポートネットワークが特定の要件を満たさない時、マスター無線基地局１１、１２は、１つもしくは複数の無線協調特徴、または、無線協調特徴のいずれも使用しないという決定を行う。
【００５３】
本開示の一態様によると、機能させる無線協調特徴について、主に、無線基地局１１、１２にとって重要性があるのは無線基地局１１、１２のトランスポートパス特性である。本開示の別の態様によると、いくつかの無線協調特徴は、無線アクセストランスポートネットワーク２０における大きな帯域幅および超低遅延を必要とする。さまざまな無線協調特徴はまた、さまざまなレベルの同期を必要とし、中には周波数同期で機能するものや、無線基地局１１、１２間の時間／位相同期を機能させる必要があるものがある。また、さまざまな無線協調特徴にとってさまざまなレベルの時間／位相同期が必要とされている。本開示の一態様によると、これらは無線協調を機能させるために最も重要な特性である。
【００５４】
本開示のさらなる態様によると、マスター無線基地局１１、１２からＰＤＮ−ＧＷ３１までの容量が限定される場合、エンドユーザによって無線協調特徴を使用する利点も限定されることがあり、スレーブ無線基地局１１、１２からＰＤＮ−ＧＷ３１までの容量がより良い場合、マスター関係は代わりに他の無線基地局１１、１２へ変更する可能性があるが、マスター無線基地局１１、１２がスレーブ無線基地局１１、１２の見地から関連のＩＰエンドポイントの特性の全体像を同様にとらえている場合に限る。
【００５５】
本開示のなおさらなる態様によると、無線協調特徴が無線基地局１１、１２間でアクティブにされている時、マスター無線基地局１１、１２はまた、無線アクセストランスポートネットワークにおける２つのＩＰエンドポイント１１、１２、３１間のパスの特性の少なくとも１つの更新を受信する。この態様による利点は、無線アクセストランスポートネットワーク２０に関連付けられた２つのＩＰエンドポイント１１、１２、３１間のパスの特性の変化に基づいて、無線基地局１１、１２が無線協調を適応させることができることである。
【００５６】
図２に戻ると、問い合わせを送出するステップＳ２では、ＩＰエンドポイント１１、１２、３１は、本開示のある態様によると、第１の無線基地局１１、１２、および、第２の無線基地局１１、１２である。本開示のさらに別の態様では、問い合わせを送出するステップＳ２では、無線基地局１１、１２、および無線アクセスネットワーク（１０）が接続されるコアネットワーク３０におけるＰＤＮ−ゲートウェイまたはＳ／ＰＤＮ−ゲートウェイ３１は、ＩＰエンドポイント１１、１２、３１である。上記のように、本開示のある態様によると、無線基地局１１、１２がマスター無線基地局１１、１２である時、該マスター無線基地局はまた、２つのＩＰエンドポイント１１、１２、３１間のパスの特性に関するスレーブ無線基地局１１、１２の観点を検索するために、スレーブ無線基地局へ問い合わせを送出する。この態様の例示の実施形態では、問い合わせを送出するステップＳ２は、第２の無線基地局１１、１２によって収集された、第２の無線基地局１１、１２と、無線アクセストランスポートネットワーク２０に関連付けられたＩＰエンドポイント１１、１２、３１との間のパスの少なくとも１つの特性に関して第２の無線基地局１１、１２へ問い合わせを送出することをさらに備える。
【００５７】
本開示の例示の実施形態では、パスの特性は、帯域幅、無線アクセストランスポートネットワーク遅延、混雑の指示、ジッター、バッファの使用状況、および、同期精度を含む。
【００５８】
本開示のさらなる態様によると、問い合わせを送出するステップＳ２は、２つのＩＰエンドポイント１１、１２、３１間のパスの少なくとも１つの特性に関して無線アクセストランスポートネットワーク２０における少なくとも１つのさらなるノード２３、２４、２５へ問い合わせを送出することをさらに備える。これらの例示の実施形態では、無線基地局１１、１２はまず、２つのＩＰエンドポイント１１、１２間のパスの少なくとも１つの特性に関して無線アクセストランスポートネットワーク２０における第１のノード２１、２２、２３、２４、２５へ問い合わせを送出する。より多くの特性情報を入手するために、無線基地局１１、１２は次いで、さらなる特性情報に関して無線アクセストランスポートネットワーク２０における少なくとも１つのさらなるノード２３、２４、２５へ問い合わせを送出する。
【００５９】
本開示のある態様によると、問い合わせを送出するステップＳ２は、無線基地局におけるＩ２ＲＳ−クライアント（ルーティングシステムへのインターフェース）によって行われる。
【００６０】
図２ａは、無線アクセストランスポートネットワーク２０におけるノード２１、２２、２３、２４、２５において行われ、無線基地局１１、１２が接続される無線アクセストランスポートネットワーク２０に関連付けられた２つのＩＰエンドポイント１１、１２、３１間のパスの特性を収集する方法ステップの実施形態を概略的に示すフローチャートである。第１のステップＳ１ａでは、第１の無線基地局１１、１２が接続される無線アクセストランスポートネットワーク２０に関連付けられた２つのＩＰエンドポイント１１、１２、３１間のパスの少なくとも１つの特性に関して、無線アクセストランスポートネットワーク２０に接続された無線基地局１１、１２からの問い合わせが受信される。本開示のある態様によると、ＩＰエンドポイントは例えば、無線基地局１０、１１、コアネットワーク３０におけるＰＤＮ−ゲートウェイ３１またはＳ−ＰＤＮ−ゲートウェイ３１である。
【００６１】
次のステップＳ２ａでは、２つのＩＰエンドポイント１１、１２、３１間のパスの少なくとも１つの特性が判断される。さらなるステップＳ３ａでは、無線基地局１１、１２へのパスの少なくとも１つの特性が送信される。
【００６２】
本開示のある態様によると、ステップＳ１ａ、Ｓ２ａ、Ｓ３ａは、ノード２１、２２、２３、２４、２５におけるＩ２ＲＳ−エージェント（ルーティングシステムへのインターフェース）によって行われる。
【００６３】
ここで図３に移ると、無線基地局１１、１２が接続される無線アクセストランスポートネットワーク２０に関連付けられた２つのＩＰエンドポイント１１、１２、３１間のパスの特性を収集するための無線基地局１１、１２の例示の実施形態を示す概略図が開示される。無線基地局１１、１２はプロセッサ１１０およびメモリ１２０を備え、メモリ１２０はプロセッサ１１０によって実行可能な命令を包含する。プロセッサ１１０は、中央処理装置（ＣＰＵ）、マイクロコントローラ、デジタル信号プロセッサ（ＤＳＰ）、または、コンピュータプログラムコードを実行可能な任意の他の適したタイプのプロセッサである。メモリ１２０は、例えば、磁気メモリ、光メモリ、または、ソリッドステートメモリもしくはさらに遠隔に取り付けられるメモリの単体または組み合わせといった、ランダムアクセスメモリ（ＲＡＭ）、読み出し専用メモリ（ＲＯＭ）、または、永続記憶装置である。
【００６４】
一態様によると、本開示は、さらに、無線基地局１１、１２で実行する時、無線基地局１１、１２が上述された方法の態様のいずれかを行うようにするコンピュータ可読コードを備える上記のコンピュータプログラムに関する。
【００６５】
上記のコンピュータプログラムコードが無線基地局１１、１２のプロセッサ１１０で実行される時、該コンピュータプログラムコードによって無線基地局は無線基地局１１、１２が接続される無線アクセストランスポートネットワーク２０に関連付けられた少なくとも１つのＩＰエンドポイント１１、１２、３１のＩＰアドレスを受信する。コンピュータプログラムコードによって、さらに、無線基地局１１、１２は、２つのＩＰエンドポイント１１、１２、３１間のパスの少なくとも１つの特性に関して無線アクセストランスポートネットワーク２０におけるノード２１、２２、２３、２４、２５へ問い合わせを送出し、かつ、パスの少なくとも１つの特性を受信する。
【００６６】
一態様によると、本開示はさらに、無線基地局１１、１２上で実行する時、無線基地局１１、１２が上述される方法の態様のいずれかを行うようにするコンピュータ可読コードを備える上記のコンピュータプログラムに関する。
【００６７】
本開示の一態様によると、プロセッサ１１０は、
−  無線基地局１１、１２が接続される無線アクセストランスポートネットワーク２０に関連付けられた少なくとも１つのＩＰエンドポイント１１、１２、３１のＩＰアドレスを受信するように適応される受信機モジュール１１０１、
−  ２つのＩＰエンドポイント１１、１２、３１間のパスの少なくとも１つの特性に関して無線アクセストランスポートネットワーク２０におけるノード２１、２２、２３、２４、２５へ問い合わせを送出するように適応される問い合わせ送出モジュール１１０２であって、２つのＩＰエンドポイントは少なくとも１つのＩＰエンドポイント１１、１２、３１を備える問い合わせ送出モジュール１１０２、および、
−  パスの少なくとも１つの特性を受信するようにさらに設定される受信機モジュール１１０１のうちの１つまたはいくつかを備える。
【００６８】
一態様によると、無線基地局１１、１２は、２つのＩＰエンドポイント１１、１２、３１間のパスの少なくとも１つの特性に関して無線アクセストランスポートネットワーク２０におけるノード２１、２２、２３、２４、２５へ問い合わせを送出するようにさらに適応され、ここで、ＩＰエンドポイント１１、１２、３１は、第１の無線基地局１１、１２および第２の無線基地局１１、１２である。一態様によると、無線基地局１１、１２は、この目的のために設定される問い合わせ送出モジュール１１０２を備える。
【００６９】
さらなる態様によると、無線基地局１１、１２は、２つのＩＰエンドポイント１１、１２、３１間のパスの少なくとも１つの特性に関して無線アクセストランスポートネットワーク２０におけるノード２１、２２、２３、２４、２５へ問い合わせを送出するようにさらに適応される。この場合、第１の無線基地局１１、１２、および、無線アクセスネットワーク１０が接続されるコアネットワーク３０におけるＰＤＮ−ゲートウェイまたはＳ／ＰＤＮ−ゲートウェイ３１はＩＰエンドポイント１１、１２、３１である。一態様によると、無線基地局１１、１２は、この目的のために設定される問い合わせ送出モジュール１１０２を備える。
【００７０】
さらなる態様によると、無線基地局１１、１２は、２つのＩＰエンドポイント１１、１２、３１間のパスの少なくとも１つの特性に関して無線アクセストランスポートネットワーク２０におけるノード２１、２２、２３、２４、２５へ問い合わせを送出するようにさらに適応される。この場合、第２の無線基地局１１、１２、および、無線アクセスネットワーク１０が接続されるコアネットワーク３０におけるＰＤＮ−ゲートウェイまたはＳ／ＰＤＮ−ゲートウェイ３１はＩＰエンドポイント１１、１２、３１である。一態様によると、無線基地局１１、１２は、この目的のために設定される問い合わせ送出モジュール１１０２を備える。
【００７１】
さらなる態様によると、無線基地局１１、１２は、第２の無線基地局１１、１２によって収集された、第２の無線基地局１１、１２と、無線アクセストランスポートネットワーク２０に関連付けられたＩＰエンドポイント１１、１２、３１との間のパスの少なくとも１つの特性に関して第２の無線基地局１１、１２へ問い合わせを送出するようにさらに適応される。一態様によると、無線基地局１１、１２は、この目的のために設定される問い合わせ送出モジュール１１０２を備える。
【００７２】
さらなる態様によると、無線基地局１１、１２はＥ−ＵＴＲＡＮにおけるｅＮｏｄｅＢ（ＥｖｏｌｖｅｄノードＢ）であり、無線アクセスネットワーク１０はＥ−ＵＴＲＡＮ（Ｅｖｏｌｖｅｄ  ＵＭＴＳ地上無線アクセスネットワーク）である。
【００７３】
さらなる態様によると、無線基地局１１、１２のパスの特性は、帯域幅、無線アクセストランスポートネットワーク遅延、混雑の指示、ジッター、バッファの使用状況、および、同期精度を含む。
【００７４】
さらなる態様によると、無線基地局１１、１２は、無線アクセストランスポートネットワーク２０における少なくとも１つのさらなるノード２３、２４、２５へ問い合わせを送出するようにさらに動作する。一態様によると、無線基地局１１、１２は、この目的のために設定される問い合わせ送出モジュール１１０２を備える。
【００７５】
さらなる態様によると、無線基地局１１、１２は、無線アクセストランスポートネットワークにおける２つのＩＰエンドポイント１１、１２、３１間のパスの特性の少なくとも１つの更新を受信するようにさらに適応される。一態様によると、無線基地局１１、１２は、この目的のために設定される問い合わせモジュール１１０２を備える。
【００７６】
さらなる態様によると、無線基地局１１、１２は、無線基地局１０、１１におけるＩ２ＲＳ−クライアント（ルーティングシステムへのインターフェース）によって問い合わせるようにさらに動作する。一態様によると、無線基地局１１、１２は、この目的のために設定される問い合わせ送出モジュール１１０２を備える。
【００７７】
受信機１１０１および問い合わせ送出モジュール１１０２は、ハードウェア、ソフトウェア、または、それらの組み合わせにおいて実装される。モジュール１１０１および１１０２は、一態様によると、処理回路１２０上で実行するメモリ２１２において記憶されるコンピュータプログラムとして実装される。無線基地局１１、１２は、上記方法に関して記載される本開示の態様全てを実装するようにさらに設定される。
【００７８】
ここで図４に移ると、無線基地局１１、１２が接続される無線アクセストランスポートネットワーク２０に関連付けられた２つのＩＰエンドポイント１１、１２、３１間のパスの特性を収集するための例示の実施形態のノード２１、２２、２３、２４、２５が示される概略図は、プロセッサ２１１およびメモリ２１２を備え、メモリ２１２はプロセッサ２１１によって実行可能な命令を包含し、それによって、ノードは、第１の無線基地局１１、１２が接続される無線アクセストランスポートネットワーク２０に関連付けられた２つのＩＰエンドポイント１１、１２、３１間のパスの少なくとも１つの特性に関して無線アクセストランスポートネットワーク２０に接続される無線基地局１１、１２から問い合わせを受信するように、２つのＩＰエンドポイント１１、１２、３１間のパスの少なくとも１つの特性を判断するように、および、パスの少なくとも１つの特性を無線基地局１１、１２へ送信するように動作する。プロセッサ２１１は、中央処理装置（ＣＰＵ）、マイクロコントローラ、デジタル信号プロセッサ（ＤＳＰ）、または、コンピュータプログラムコードを実行可能な任意の他の適したタイプのプロセッサである。メモリ２１２は、例えば、磁気メモリ、光メモリ、または、ソリッドステートメモリもしくはさらに遠隔に取り付けられるメモリの単体または組み合わせといった、ランダムアクセスメモリ（ＲＡＭ）、読み出し専用メモリ（ＲＯＭ）、または、永続記憶装置である。
【００７９】
一態様によると、本開示は、さらに、ノード２１、２２、２３、２４、２５上で実行する時、ノード２１、２２、２３、２４、２５が上述される方法の態様のいずれかを行うようにするコンピュータ可読コードを備える上記のコンピュータプログラムに関する。
【００８０】
上記のコンピュータプログラムコードは、ノード２１、２２、２３、２４、２５のプロセッサ２１１で実行される時、ノード２１、２２、２３、２４、２５が、第１の無線基地局１１、１２が接続される無線アクセストランスポートネットワーク２０に関連付けられた２つのＩＰエンドポイント１１、１２、３１間のパスの少なくとも１つの特性に関して、無線アクセストランスポートネットワーク２０に接続される無線基地局１１、１２から問い合わせを受信するようにし、２つのＩＰエンドポイント１１、１２、３１間のパスの少なくとも１つの特性を判断するようにし、パスの少なくとも１つの特性を無線基地局１１、１２へ送信するようにする。
【００８１】
一態様によると、本開示はさらに、ノード２１、２２、２３、２４、２５上で実行する時、ノード２１、２２、２３、２４、２５が上述される方法の態様のいずれかを行うようにするコンピュータ可読コードを備える上記のコンピュータプログラムに関する。
【００８２】
本開示の一態様によると、プロセッサ２１１は、
−  第１の無線基地局１１、１２が接続される無線アクセストランスポートネットワーク２０に関連付けられた２つのＩＰエンドポイント１１、１２、３１間のパスの少なくとも１つの特性に関して無線アクセストランスポートネットワーク２０に接続される無線基地局１１、１２から問い合わせを受信するように適応される受信機モジュール２１１１、
−  ２つのＩＰエンドポイント１１、１２、３１間のパスの少なくとも１つの特性を判断するように適応される判断モジュール２１１２であって、２つのＩＰエンドポイント（１１、１２、３１）はＩＰエンドポイント（１１、１２、３１）のうちの少なくとも１つを備える判断モジュール２１１２、および、
−  パスの少なくとも１つの特性を無線基地局１１、１２へ送信するようにさらに設定される送信モジュール２１１３のうちの１つまたはいくつかを備える。
【００８３】
一態様によると、ノード２１、２２、２３、２４、２５は、２つのＩＰエンドポイント１１、１２、３１間のパスの少なくとも１つの特性に関して問い合わせを受信しかつ該特性を判断するようにさらに適応される。この場合、ＩＰエンドポイント１１、１２、３１は第１の無線基地局１１、１２および第２の無線基地局１１、１２である。一態様によると、ノード２１、２２、２３、２４、２５は、この目的のために設定される、受信機モジュール２１１１、判断モジュール２１１２、および、送信機モジュール２１１３を備える。
【００８４】
一態様によると、ノード２１、２２、２３、２４、２５は、Ｉ２ＲＳ−エージェント（ルーティングシステムへのインターフェースエージェント）を実行することによって、２つのＩＰエンドポイント１１、１２、３１間のパスの少なくとも１つの特性に関して問い合わせを受信しかつ該特性を判断するようにさらに適応される。一態様によると、ノード２１、２２、２３、２４、２５は、この目的のために設定される、受信機モジュール２１１１、判断モジュール２１１２、および、送信機モジュール２１１３を備える。
【００８５】
受信機モジュール２１１１、判断モジュール２１１２、および、送信機モジュール２１１３は、ハードウェア、ソフトウェア、または、それらの組み合わせにおいて実装される。モジュール２１１１、２１１２および２１１３は、一態様によると、処理回路２１１上で実行するメモリ２１２において記憶されるコンピュータプログラムとして実装される。ノード２１、２２、２３、２４、２５は、上記方法に関して記載される本開示の態様全てを実装するようにさらに設定される。
【００８６】
本開示の態様は、例えばブロック図および／またはフローチャートといった図面を参照して説明される。例えばブロック図のブロックといった、図面におけるいくつかのエンティティ、また、図面におけるエンティティの組み合わせは、コンピュータプログラム命令によって実装でき、該命令は、コンピュータ可読メモリにおいて記憶でき、また、コンピュータまたは他のプログラム可能データ処理装置上へロードできることは理解されたい。かかるコンピュータプログラム命令は、汎用コンピュータ、専用コンピュータ、および／または他のプログラム可能データ処理装置のプロセッサへ提供して機械を製作できることで、コンピュータおよび／または他のプログラム可能データ処理装置のプロセッサを介して実行する命令は、ブロック図および／またはフローチャートブロック（複数可）において特定される機能／作用を実装するための手段をもたらす。
【００８７】
いくつかの実装形態では、および、本開示のいくつかの態様によると、ブロックに記される機能またはステップは、操作図において記される順序以外で生じる可能性がある。例えば、連続して示される２つのブロックは、実際、おおむね同時に実行される可能性がある、または、含まれる機能性／作用によっては、該ブロックは時には逆の順序で実行される可能性がある。また、ブロックに記される機能またはステップは、本開示のいくつかの態様によると継続的にループで実行される可能性がある。
【００８８】
図面および明細書において、本開示の例示の態様が開示されている。しかしながら、本開示の原理からおおむね逸脱することなくこれらの態様に対して多くの変形および修正をなすことができる。よって、本開示は、制限するものではなく例示と見なされるべきであり、上記で論じられた特定的な態様に限定されない。従って、特定の用語が用いられるが、それら用語は、一般的かつ記述的な意味でのみ使用され、限定の目的のために使用されない。
【図１】
0006258519.tif 000002
【図２】
0006258519.tif 000003
【図２ａ】
0006258519.tif 000004
【図３】
0006258519.tif 000005
【図４】
0006258519.tif 000006